(57)【特許請求の範囲】
【請求項１】
反射板と、前記反射板の上方に配置された複数の光源と、前記複数の光源の上方に配置された光学部材と、前記反射板の底面に立設された支持部材と、前記反射板および光源を収容するフレーム部材と、前記光学部材の上方に配置された表示パネルとを有する表示装置において、
前記支持部材は、前記反射板上に立設支持する立設支持部と、前記光学部材を支持する光学部材支持部と、前記反射板およびフレーム部材の下方に突出し、かつ、前記立設支持部に沿った方向に折れ曲がった脚部とを有することを特徴とする表示装置。
【請求項２】
前記反射板は、前記支持部材の脚部が通る穴を有し、
前記反射板の穴は、前記支持部材の脚部の折れ曲がった方向に平行な２辺を有することを特徴とする請求項１に記載の表示装置。
【請求項３】
前記フレーム部材は、前記支持部材の脚部が通る第１の穴の近傍に第２の穴を有し、
前記支持部材の脚部は、前記第２の穴に突出する突起を有することを特徴とする請求項１または請求項２のいずれか１項に記載の表示装置。
【請求項４】
前記支持部材の脚部は、前記立設支持部の外側に突出していることを特徴とする請求項１乃至請求項３のいずれか１項に記載の表示装置。
【請求項５】
前記支持部材は、前記光学部材支持部の側面に、前記光源を支持する光源支持部を有することを特徴とする請求項１乃至請求項４のいずれか１項に記載の表示装置。
【請求項６】
フレーム部材上に反射板を設置し、前記反射板上に支持部材を立設支持した後、前記反射板の上方に光源および光学部材を設置する表示装置の組み立て方法であって、
前記支持部材は、前記反射板上に立設支持する立設支持部の下方に突出し、かつ、前記立設支持部に沿った方向に折れ曲がった脚部を、前記フレーム部材および前記反射板に設けられた穴に挿入した後、
前記支持部材を、前記脚部の折れ曲がった方向にスライドさせて、前記立設支持部と前記脚部で前記フレーム部材および前記反射板を挟んで立設支持することを特徴とする表示装置の組み立て方法。
【請求項７】
前記フレーム部材の、前記支持部材の脚部が通る第１の穴の近傍に第２の穴を設けておき、
前記支持部材の脚部の突起を前記第２の穴にはめて、前記支持部材を固定することを特徴とする請求項６に記載の表示装置の組み立て方法。
【発明の詳細な説明】
【技術分野】
【０００１】
本発明は、表示装置および表示装置の組み立て方法に関し、特に、反射板上に支持部材を立設して、前記反射板の上方に配置された光学部材を支持する表示装置に適用して有効な技術に関するものである。
【背景技術】
【０００２】
従来、表示装置には、たとえば、液晶表示装置のように、表示パネルの下方（後方）に光源（バックライトユニット）が配置されている表示装置がある。
【０００３】
前記バックライトユニットは、たとえば、反射板の上方（前方）に冷陰極蛍光管などの光源を配置し、前記光源の上方に光拡散板や光学シートなどの光学部材を配置したものであり、前記光学部材のさらに上方（前方）に表示パネルが配置されている。
【０００４】
またこのとき、前記反射板の底面には、前記光学部材を支持する支持部材が立設されている（たとえば、特許文献１を参照。）。
【特許文献１】特開平７−６４０８４号公報
【発明の開示】
【発明が解決しようとする課題】
【０００５】
前記特許文献１に記載されたバックライト（照明装置）は、前記反射板の底面の、幅方向中間部であって、一対の蛍光ランプ同士間にて、内方へ山形に突出する補助反射部を一体に連成している。そして、前記補助反射部の一部を平坦面にして、前記平坦面に前記支持部材を立設している。
【０００６】
しかしながら、前記特許文献１に記載されたバックライトの反射部のように、前記反射部の底面に、前記山形の補助反射部や前記平坦面を設ける場合、たとえば、前記反射部にねじれやたわみが生じやすく、反射光の均整度が低下するという問題があると考えられる。
【０００７】
そこで、近年では、たとえば、図１７に示すように、反射板２０２の底面を平坦にし、反射板２０２およびフレーム部材２０１に前記支持部材２０５の脚部２０５ｂが通る穴を設けておき、支持部材の脚部２０５ｂの爪２０５ｆをフレーム部材２０１に引っかけて固定する方法が提案されている。
【０００８】
しかしながら、図１７に示したような方法の場合、支持部材２０５を取り付けるときに、反射板２０２の穴と支持部材２０５の脚部２０５ｂの位置合わせが難しく、作業性が悪いという問題があった。
【０００９】
また、図１７に示したような方法の場合、支持部材２０５の爪２０５ｆが折れて異物となる、あるいは支持部材２０５を固定できないという問題が起こりやすい。
【００１０】
また、図１７に示したような方法の場合、支持部材２０５の脚部２０５ｂの突出高さｘ２が大きくなる。そのため、たとえば、支持部材の脚部２０５ｂが突出した領域に、タイミングコントローラーなどの回路を有する回路基板を取り付けるときに、取り付け高さが高くなるという問題がある。
【００１１】
本発明の目的は、反射板上に支持部材を取り付ける際の作業性を向上させることが可能な技術を提供することにある。
【００１２】
本発明の他の目的は、前記反射板上に支持部材を取り付ける際の支持部材の破損を低減することが可能な技術を提供することにある。
【００１３】
本発明の他の目的は、前記反射板上に支持部材を取り付ける際の、前記支持部材の脚部の突出高さを低くすることが可能な技術を提供することにある。
【００１４】
本発明の前記ならびにその他の目的と新規な特徴は、本明細書の記述および添付図面によって明らかになるであろう。
【課題を解決するための手段】
【００１５】
本願において開示される発明の概略を説明すれば、以下の通りである。
【００１６】
（１）反射板と、前記反射板の上方に配置された複数の光源と、前記複数の光源の上方に配置された光学部材と、前記反射板の底面に立設された支持部材と、前記反射板および光源を収容するフレーム部材と、前記光学部材の上方に配置された表示パネルとを有する表示装置において、前記支持部材は、前記反射板上に立設支持する立設支持部と、前記光学部材を支持する光学部材支持部と、前記反射板およびフレーム部材の下方に突出し、かつ、前記立設支持部に沿った方向に折れ曲がった脚部とを有する表示装置である。
【００１７】
（２）前記（１）において、前記反射板は、前記支持部材の脚部が通る穴を有し、前記反射板の穴は、前記支持部材の脚部の折れ曲がった方向に平行な２辺を有する表示装置である。
【００１８】
（３）前記（１）または（２）のいずれかにおいて、前記フレーム部材は、前記支持部材の脚部が通る第１の穴の近傍に第２の穴を有し、前記支持部材の脚部は、前記第２の穴に突出する突起を有する表示装置である。
【００１９】
（４）前記（１）から（３）のいずれかにおいて、前記支持部材の脚部は、前記立設支持部の外側に突出している表示装置である。
【００２０】
（５）前記（１）から（４）のいずれかにおいて、前記支持部材は、前記光学部材支持部の側面に、前記光源を支持する光源支持部を有する表示装置である。
【００２１】
（６）フレーム部材上に反射板を設置し、前記反射板上に支持部材を立設支持した後、前記反射板の上方に光源および光学部材を設置する表示装置の組み立て方法であって、前記支持部材は、前記反射板上に立設支持する立設支持部の下方に突出し、かつ、前記立設支持部に沿った方向に折れ曲がった脚部を、前記フレーム部材および前記反射板に設けられた穴に挿入した後、前記支持部材を、前記脚部の折れ曲がった方向にスライドさせて、前記立設支持部と前記脚部で前記フレーム部材および前記反射板を挟んで立設支持する表示装置の組み立て方法である。
【００２２】
（７）前記（６）において、前記フレーム部材の、前記支持部材の脚部が通る第１の穴の近傍に第２の穴を設けておき、前記支持部材の脚部の突起を前記第２の穴にはめて、前記支持部材を固定する表示装置の組み立て方法である。
【発明の効果】
【００２３】
本発明の表示装置は、前記手段（１）のように、前記支持部材の脚部が前記立設支持部に沿った方向に折れ曲がっている。このとき、前記支持部材は、たとえば、前記手段（６）のような方法で前記反射板上に立設支持され、前記立設支持部と前記脚部で前記反射板およびフレーム部材を挟んで固定する。そのため、たとえば、図１７に示したような爪で固定する支持部材に比べて、前記脚部の破損を低減することができる。また、前記脚部の突出高さを低くすることもできる。
【００２４】
また、前記手段（２）のように、前記反射板に平行な２辺を有する穴を開けておけば、前記手段（６）のような方法で組み立てる際に、前記支持部材を前記平行な２辺に沿ってスライドさせるだけでよく、組み立ての作業性が向上する。
【００２５】
また、前記手段（３）のように、前記フレーム部材の第２の穴を開けておき、前記手段（７）のような方法で組み立てれば、前記支持部材を容易に固定することができる。
【００２６】
また、前記手段（４）のように、前記支持部材の脚部が前記立設支持部の外側に突出していれば、前記反射板に前記支持部材を取り付ける際に、前記支持部材の向きや前記反射板の穴との位置を合わせやすくなり、作業性が向上する。
【００２７】
またこのとき、前記支持部材は、前記手段（５）のように光源を支持する光源支持部を有する支持部材であってもよい。
【００２８】
以下、本発明について、図面を参照して実施の形態（実施例）とともに詳細に説明する。
なお、実施例を説明するための全図において、同一機能を有するものは、同一符号を付け、その繰り返しの説明は省略する。
【発明を実施するための最良の形態】
【００２９】
本発明の表示装置では、反射板に立設する支持部材の脚部を、前記支持部材の立設支持部に沿った方向に折れ曲がった形状にすることで、取り付け時の破損を防ぐとともに、突出高さを低くする。また、前記支持部材をスライドさせて固定することで、前記支持部材を取り付ける際の作業性を向上させる。
【実施例】
【００３０】
図１乃至図５は、本発明による一実施例の表示装置の概略構成を示す模式図であり、図１は表示装置の概略構成を示す斜視図、図２はバックライトユニットの構成例を示す正面図、図３は図２の領域Ｌの裏面図、図４は図３のＡ−Ａ’線断面図、図５は図３のＢ−Ｂ’線断面図である。なお、図４および図５は、上下を反転させて示した図である。
図１において、１は表示パネル、２はバックライトユニット、３はフレーム部材（上フレーム）、４はプリント回路板、５は半導体パッケージである。また、図２乃至図５において、２０１はフレーム部材（下フレーム）、２０１ａは支持部材の脚部が通る穴、２０１ｂは脚部の突起がはまる穴、２０２は反射板、２０２ａは支持部材の脚部が通る穴、２０３は光源、２０４は光学部材、２０５は支持部材、２０５ａは支持部材の立設支持部、２０５ｂは支持部材の脚部、２０５ｃは脚部の突起である。
【００３１】
本実施例の表示装置は、図１に示すように、表示パネル１と、表示パネル１の下方（後方）に配置されるバックライトユニット２と、表示パネル１およびバックライトユニット２などを一体的に支持するフレーム部材（上フレーム）３とを有する。また、表示パネル１の外周部には、プリント回路板４が配置されており、表示パネル１の配線と前記プリント回路板４の配線は、たとえば、ドライバICが実装されたTCP(Tape Carrier Package)あるいはCOF(Chip On Film)などの半導体パッケージ５を介して電気的に接続されている。また、図示は省略するが、プリント回路板４は、たとえば、タイミングコントローラーなどの回路を有する他の回路基板と電気的に接続されている。
【００３２】
表示パネル１は、たとえば、液晶表示パネルなどの透過型の表示パネルであり、バックライトユニット２からの光を通過させて画像や映像を提示する表示パネルであるとする。
【００３３】
また、バックライトユニット２は、表示パネル１の背後に光源を配置した直下型のユニットであり、たとえば、図２乃至図５に示すように、フレーム部材（下フレーム）２０１に反射板２０２を収納しており、反射板２０２の上方（前方）に冷陰極蛍光管などの光源２０３が複数本配置されている。また、光源２０３の上方には、光拡散板や光学シートなどの光学部材２０４が配置されている。
【００３４】
またこのとき、反射板２０２上には、光学部材２０４を支持する支持部材２０５が立設されている。支持部材２０５は、光学部材２０４のたわみや反りを防ぐためのものであり、たとえば、図２に示すように、反射板２０２上の複数箇所に立設させている。
【００３５】
また、本実施例の表示装置では、支持部材２０５は、反射板２０２と接する立設支持部２０５ａの裏側に、反射板２０２および下フレーム２０１の穴２０２ａ，２０１ａを通り、かつ、立設支持部２０５ａに沿った方向に折れ曲がった形状の脚部２０５ｂが設けられている。そして、支持部材２０５は、立設支持部２０５ａと脚部２０５ｂで反射板２０２および下フレーム２０１を挟むことで、反射板２０２上に立設支持されている。
【００３６】
またこのとき、下フレーム２０１には、支持部材の脚部２０５ｂが通る第１の穴２０１ａの近傍に第２の穴２０１ｂを設けておく。そして、支持部材の脚部２０５ｂには、前記第２の穴２０１ｂにはまる突起２０５ｃを設けておく。
【００３７】
図６乃至図９は、本実施例の表示装置の組み立て方法を説明するための模式図であり、図６は支持部材の脚部の挿入方法を説明する図、図７は図６の側断面図、図８は支持部材の固定方法を説明する図、図９は図８の側断面図である。
【００３８】
本実施例の表示装置を組み立てるときには、まず、前記下フレーム２０１に反射板２０２を設置し、支持部材２０５を立設する。このとき、下フレーム２０１および反射板２０２には、図６および図７に示すように、支持部材２０５の脚部２０５ｂの外形よりも大きく、かつ、立設支持部２０５ａの外形よりも小さい穴２０１ａ，２０２ａを開けておく。またこのとき、下フレーム２０１には、前記脚部２０５ｂの突起２０５ｃがはまる穴（第２の穴）２０１ｂを開けておく。そして、支持部材の脚部２０５ｂを下フレーム２０１および反射板２０２の穴２０１ａ，２０２ａに挿入する。
【００３９】
また、下フレーム２０１および反射板２０２に開ける穴、すなわち前記支持部材の脚部２０５ｂが挿入される穴２０１ａ，２０２ａは、たとえば、図６に示すように、下フレームの第２の穴２０１ｂに向かう方向と平行な２辺Ｈ１，Ｈ２を有する矩形状の穴とする。
【００４０】
またこのとき、前記支持部材の脚部２０５ｂは、立設支持部２０５ａの外側に突出する長さにしておくことが好ましい。このようにしておけば、下フレーム２０１および反射板２０２の穴２０１ａ，２０２ａと、前記脚部２０５ｂの突出した部分により、脚部２０５ｂの挿入の位置合わせを容易に行うことができる。また、下フレーム２０１および反射板２０２に矩形状の穴２０１ａ，２０２ａを設ける場合、前記第２の穴２０１ｂに向かう方向と平行な２辺Ｈ１，Ｈ２の長さと、前記平行な２辺Ｈ１，Ｈ２と接続する残りの２辺の長さを変えれば、支持部材２０５の向きも容易に合わせることができる。
【００４１】
そして、下フレーム２０１および反射板２０２の穴２０１ａ，２０２ａに支持部材の脚部２０５ｂを挿入したら、図８および図９に示すように、支持部材２０５をスライドさせて、支持部材の立設支持部２０５ａと脚部２０５ｂで下フレーム２０１および反射板２０２を挟み、固定する。このとき、前記脚部２０５ｂの突起２０５ｃが下フレーム２０１の第２の穴２０１ｂにはまることで、支持部材２０５が固定される。またこのとき、支持部材２０５は、下フレーム２０１および反射板２０２の穴２０１ａ，２０２ａの、前記平行な２辺Ｈ１，Ｈ２に沿ってスライドさせるだけでよく、容易に固定することができる。
【００４２】
図６乃至図９に示したような手順で反射板２０２上に支持部材２０５を取り付けたら、後は、従来の組み立て方法と同じように、前記光源２０３を設置し、前記光学部材２０４を設置した後、前記表示パネル１およびプリント回路板４などを重ねて前記上フレーム３と下フレーム２０１を固定する。
【００４３】
また、上フレーム３と下フレーム２０１を固定した後は、たとえば、下フレーム２０１の裏面に、タイミングコントローラーなどの回路を有する回路基板を取り付ける。本実施例の表示装置では、たとえば、図５に示した、前記支持部材の脚部２０５の突出高さｘ１は１ｍｍ程度である。一方、たとえば、図１７に示した支持部材の脚部２０５ｂの突出高さｘ２は５ｍｍ程度である。すなわち、本実施例の表示装置では、支持部材２０５の突出高さｘ１を、従来に比べて低くできる。そのため、たとえば、前記回路基板を支持部材の脚部２０５ｂが突出した領域に取り付ける場合に、回路基板の取り付け高さを低くでき、その分、表示装置を薄型化することができる。
【００４４】
以上説明したように、本実施例の表示装置によれば、下フレーム２０１および反射板２０２の穴２０１ａ，２０２ａに支持部材の脚部２０５ｂを挿入した後、支持部材２０５をスライドさせることで、支持部材２０５を容易に固定することができ、支持部材２０５の取り付けの作業性が向上する。
【００４５】
また、支持部材の脚部２０５ｂを立設支持部２０５ａの外側に突出させることで、支持部材２０５を取り付ける際の向きや位置を容易に合わせることができる。
【００４６】
また、支持部材の脚部２０５の突出高さｘ１を、従来に比べて低くすることができるので、たとえば、回路基板を支持部材の脚部２０５ｂが突出した領域に取り付ける場合に、前記回路基板の取り付け高さを低くできる。
【００４７】
また、本実施例の支持部材２０５では、従来の、図１７に示した支持部材のような爪２０５ｆが不要であり、たとえば、支持部材の脚部２０５ｂが欠けて異物となる、あるいは固定が不十分になるといったことを防げる。
【００４８】
図１０乃至図１６はそれぞれ、前記実施例の変形例を説明するための模式図である。
【００４９】
前記実施例の表示装置では、前記支持部材の脚部２０５ｂを挿入する穴２０１ａ，２０２ａは、たとえば、図６に示したような矩形状であったが、本発明では、支持部材の脚部２０５ｂを挿入する穴２０１ａ，２０２ａは、下フレーム２０１の第２の穴２０１ｂに向かう方向と平行な２辺Ｈ１，Ｈ２を有する穴であればよい。そのため、たとえば、図１０に示すように、前記平行な２辺Ｈ１，Ｈ２と接続する辺の一方が曲線であってもよい。このとき、前記第２の穴２０１ｂに近いほうを直線とし、遠い方を曲線とすれば、たとえば、図１０に示したように、下フレーム２０１の第２の穴２０１ｂが反射板２０２で隠れて見えない場合でも、支持部材２０５の向きを容易に合わせることができる。
【００５０】
また、前記実施例では、たとえば、図６に示したように、支持部材の脚部２０５ｂの突起２０５ｃ、および下フレーム２０１の第２の穴２０１ｂが１つであったが、これに限らず、たとえば、図１１に示すように、前記脚部の突起２０５ｃおよび第２の穴２０１ｂがそれぞれ２つであってもよい。またこのとき、支持部材の脚部２０５ｂは、図１２に示すように、２つに別れていてもよい。またさらに、支持部材の脚部２０５ｂが２つに別れている場合は、たとえば、図１３に示すように、下フレーム２０１および反射板２０２の穴２０１ａ，２０２ａを２つに分けてもよい。また、図１１乃至図１３では支持部材の脚部２０５ｂの突起２０５ｃおよび第２の穴２０１ｂがそれぞれ２つであるが、これに限らず３つ以上であってもよい。
【００５１】
また、支持部材の脚部２０５ｂに突起２０５ｃを２つ設けるときには、下フレーム２０１の第２の穴２０１ｂは、たとえば、図１４に示すように、前記２つの突起２０５ｂを収容できる１つの大きな穴２０１ｂであってもよい。
【００５２】
また、図示は省略するが、支持部材の脚部２０５ｂの突起２０５ｃは、図６などで示したような半球状の突起に限らず、たとえば、直方体状の突起であってもよい。
【００５３】
また、支持部材２０５は、たとえば、前記光学部材２０４の支持だけに限らず、前記光源２０３も支持する部材であってもよい。その場合、たとえば、図１５に示すように、支持部材２０５の立設支持部２０５ａ上の光学部材支持部２０５ｄの側面に、前記光源２０３を支持する光源支持部２０５ｅを設ければよい。
【００５４】
また、前記実施例では、下フレーム２０１および反射板２０２の穴２０１ａ，２０２ａは、たとえば、図３に示したように、前記平行な２辺Ｈ１，Ｈ２、言い換えると前記支持部材２０５のスライド方向が前記光源２０３の延在方向と平行になるように開けている。しかしながらこの穴２０１ａ，２０２ａは、これに限らず、たとえば、図１６に示すように、支持部材２０５のスライド方向が前記光源２０３の延在方向に対してθ度傾くような穴であってもよい。
【００５５】
以上、本発明を、前記実施例に基づき具体的に説明したが、本発明は、前記実施例に限定されるものではなく、その要旨を逸脱しない範囲において、種々変更可能であることはもちろんである。
【図面の簡単な説明】
【００５６】
【図１】本発明による一実施例の表示装置の概略構成を示す模式図であり、表示装置の概略構成を示す斜視図である。
【図２】本発明による一実施例の表示装置の概略構成を示す模式図であり、バックライトユニットの構成例を示す正面図である。
【図３】本発明による一実施例の表示装置の概略構成を示す模式図であり、図２の領域Ｌの裏面図である。
【図４】本発明による一実施例の表示装置の概略構成を示す模式図であり、図３のＡ−Ａ’線断面図である。
【図５】本発明による一実施例の表示装置の概略構成を示す模式図であり、図３のＢ−Ｂ’線断面図である。
【図６】本実施例の表示装置の組み立て方法を説明するための模式図であり、支持部材の脚部の挿入方法を説明する図である。
【図７】本実施例の表示装置の組み立て方法を説明するための模式図であり、図６の側断面図である。
【図８】本実施例の表示装置の組み立て方法を説明するための模式図であり、支持部材の固定方法を説明する図である。
【図９】本実施例の表示装置の組み立て方法を説明するための模式図であり、図８の側断面図である。
【図１０】前記実施例の変形例を説明するための模式図である。
【図１１】前記実施例の変形例を説明するための模式図である。
【図１２】前記実施例の変形例を説明するための模式図である。
【図１３】前記実施例の変形例を説明するための模式図である。
【図１４】前記実施例の変形例を説明するための模式図である。
【図１５】前記実施例の変形例を説明するための模式図である。
【図１６】前記実施例の変形例を説明するための模式図である。
【図１７】従来の支持部材の固定方法を説明するための模式図である。
【符号の説明】
【００５７】
１…表示パネル
２…バックライトユニット
２０１…フレーム部材（下フレーム）
２０１ａ…支持部材の脚部が通る穴
２０１ｂ…脚部の突起がはまる穴（第２の穴）
２０２…反射板
２０２ａ…支持部材の脚部が通る穴
２０３…光源
２０４…光学部材
２０５…支持部材
２０５ａ…立設支持部
２０５ｂ…脚部
２０５ｃ…突起
２０５ｄ…光学部材支持部
２０５ｅ…光源支持部
２０５ｆ…爪
３…フレーム部材（上フレーム）
４…プリント回路板
５…半導体パッケージ
【図１】
0004516492.tif 000002
【図２】
0004516492.tif 000003
【図３】
0004516492.tif 000004
【図４】
0004516492.tif 000005
【図５】
0004516492.tif 000006
【図６】
0004516492.tif 000007
【図７】
0004516492.tif 000008
【図８】
0004516492.tif 000009
【図９】
0004516492.tif 000010
【図１０】
0004516492.tif 000011
【図１１】
0004516492.tif 000012
【図１２】
0004516492.tif 000013
【図１３】
0004516492.tif 000014
【図１４】
0004516492.tif 000015
【図１５】
0004516492.tif 000016
【図１６】
0004516492.tif 000017
【図１７】
0004516492.tif 000018